(57)【要約】      （修正有）【課題】可撓性の保水性植物生育体を用いて比較的容易に製造し得、垂直面又は傾斜角度が比較的大きな面の緑化を容易且つ確実に行うことができる植物栽培体及び植物栽培体群を提供する。【解決手段】植物栽培体は保水性植物生育体Ｙが筒状に巻回されてなる植物生育部Ｊからなる。筒状の植物生育部Ｊの内側の空孔部Ｊ１に、泥炭等を材料としたポットＡに根部Ｉ１が植えられているものをポットＡのまま嵌合させることにより、空孔部Ｊ１に対象植物Ｉの根部Ｉ１を配置し、前記植物生育部の一方の端部の軸線方向外方に葉部を位置させる。【選択図】図２
2011244710.tif 000002
【特許請求の範囲】
【請求項１】
保水性を有する可撓性板形状の保水性植物生育体が巻回されてなる柱状又は筒状の植物生育部を備えた植物栽培体。
【請求項２】
可撓性板形状の保水性植物生育体が、繊維の不織集合体である請求項１記載の植物栽培体。
【請求項３】
保水性植物生育体が全周にわたり二層以上となるよう巻回されている請求項１又は２記載の植物栽培体。
【請求項４】
植物生育部における保水性植物生育体の巻回軸線が水平状または傾斜状をなす請求項１乃至３の何れか１項に記載の植物栽培体。
【請求項５】
保水性植物生育体が、水分を保有した場合に下方側の水分保有量が上方側に比し多くなるものである請求項１乃至４の何れか１項に記載の植物栽培体。
【請求項６】
植物生育部が筒状をなし、その植物生育部の内側の空孔部に対象植物の根部を配置し、前記植物生育部の端部の軸線方向外方に少なくとも茎部、葉部及び花部の何れかを位置させてその対象植物を栽培するための請求項１乃至５の何れか１項に記載の植物栽培体。
【請求項７】
上記筒状の植物生育部の１又は２以上が、その少なくとも一方の端面が露出した状態で、収容筒体、保持枠体又は収容箱体に保持されている請求項６記載の植物栽培体。
【請求項８】
上記筒状の植物生育部の２以上が、それらの巻回軸線が互いに平行状をなすように上下に配置され、上下の植物生育部が、水分透過性の離隔部により上下に分離されている請求項６記載の植物栽培体。
【請求項９】
上記筒状の植物生育部の内側の空孔部の一端側に同軸状に嵌合した芯体を有し、
前記空孔部の他端側に前記対象植物の根部を配置し、前記空孔部の他端側における軸線方向外方に少なくとも茎部、葉部及び花部の何れかを位置させるためのものである請求項６記載の植物栽培体。
【請求項１０】
上記植物生育部の端面部に対象植物を栽培するための請求項５記載の植物栽培体。
【請求項１１】
上記可撓性板形状の保水性植物生育体が巻回されてなる柱状又は筒状の１又は２以上の植物生育部が、その少なくとも一方の端面が露出した状態で、収容筒体、保持枠体又は収容箱体に保持されている請求項１０記載の植物栽培体。
【請求項１２】
上記筒状の植物生育部の２以上が、それらの巻回軸線が互いに平行状をなすように上下に配置され、上下の植物生育部が、水分透過性の離隔部により上下に分離されている請求項１０記載の植物栽培体。
【請求項１３】
上記植物生育部が、可撓性板形状の保水性植物生育体が巻回されてなる筒状をなし、その筒状の植物生育部の内側の空孔部に芯体が同軸状に嵌合している請求項１０記載の植物栽培体。
【請求項１４】
上記芯体が、芯体の内部に水系液体を導入する導入部と、導入部より芯体の内部に導入された水系液体を芯体の外周側の植物生育部に供給するための供給孔を有する請求項１３記載の植物栽培体。
【請求項１５】
上記芯体の基端部が基体に支持され、その芯体の先端は自由端であり、
植物生育部のうち芯体の自由端側の端面部に対象植物を栽培するためのものである請求項１３又は１４記載の植物栽培体。
【請求項１６】
上記芯体を複数有し、それらの各芯体の外周側にそれぞれ可撓性板形状の保水性植物生育体が巻回されてなる筒状をなす植物生育部が形成された請求項１３乃至１５の何れか１項に記載の植物栽培体。
【請求項１７】
上記植物生育部の外周面部に対象植物を栽培するための請求項５記載の植物栽培体。
【請求項１８】
上記植物生育部が、可撓性板形状の保水性植物生育体が巻回されてなる筒状をなし、その筒状の植物生育部の内側の空孔部に芯体が同軸状に嵌合している請求項１７記載の植物栽培体。
【請求項１９】
上記芯体が、芯体の内部に水系液体を導入する導入部と、導入部より芯体の内部に導入された水系液体を芯体の外周側の植物生育部に供給するための供給孔を有する請求項１８記載の植物栽培体。
【請求項２０】
少なくとも５０度の所定中心角部分が二層以上となるよう巻回されている請求項１７乃至１９の何れか１項に記載の植物栽培体。
【請求項２１】
植物生育部の外周面部の全部又は一部がスノコ状の植物保護体により覆われている請求項１７乃至２０の何れか１項に記載の植物栽培体。
【請求項２２】
植物生育部の一方又は両方の端面が漏水防止材で覆われている請求項１７乃至２１の何れか１項に記載の植物栽培体。
【請求項２３】
請求項１乃至２２の何れか１項に記載の植物栽培体を複数個、それらの巻回軸線が互いに平行状をなすように上下に備えてなる植物栽培体群。
【発明の詳細な説明】
【技術分野】
【０００１】
本発明は、可撓性の保水性植物生育体（例えばマット状をなす繊維の不織集合体）を用いて垂直面又は傾斜角度が比較的大きな面の緑化を行うことができる植物栽培体及び植物栽培体群に関する。
【背景技術】
【０００２】
建築物の屋上等を緑化するために、繊維が集合してなるマット体のような保水性植物生育マットが従来より用いられている。この種の保水性植物生育マットによる緑化は、建築物の屋上等に保水性植物生育マットを敷設し、給水、施肥等を行いつつ、その保水性植物生育マットにおいて植物を栽培することにより行われる。保水性植物生育マットを対象面に敷設して行うこのような緑化方法は、水平面や傾斜が小さい面に沿って平面的に植物栽培を行って緑化するのに適する。
【０００３】
例えば特開平１０−９８９１３号公報には、ビルの屋上など、土の上でなくても、その上に敷き詰めて水をやるだけで種から芽が出るようになるために、場所を選ばずに非常に簡単に植物を育成できる園芸用マットが開示されている。その園芸用マットは、植物性の繊維の不織布等からなり、発芽可能に種子を内装した保水性の育苗マットと、育苗マットを受けてそれに毛細管現象により水を供給する保水マットとからなるものである。
【０００４】
ところが、このような緑化方法は、立体的な構造体や垂直面若しくは傾斜角度が比較的大きな対象面の緑化には必ずしも適するものではない。
【０００５】
繊維が集合してなる一般的な保水性植物生育マットを、立体的な構造体やその他のものにおける垂直面若しくは傾斜角度が比較的大きな面に沿って保水性植物生育マットを配設した場合や、保水性植物生育マットの高さを高くしたり保水性植物生育マットを高さ方向に積層した場合、給水された水系液体が、傾斜角度が比較的大きな保水性植物生育マット又は高さの高い保水性植物生育マットにおける下方部、或いは、高さ方向に積層した保水性植物生育マットにおける下方の保水性植物生育マットに集まりがちとなり、上方部に保持される水分量が不十分になるおそれがある。
【０００６】
この点を解決する一つの手段として、特開２００９−１００７１２公報には、複数の保水性植物生育層が、保水性植物生育層同士の間に上下分離層を挟んで上下方向に積層してなり、前記上下分離層の上側の保水性植物生育層は、保水し切れない水系液体を下側面から下方に漏脱させるものであり、前記上下分離層は、上側の保水性植物生育層の下側面から下方に漏脱した水系液体を下方に通過させるものであり、前記上下分離層を下方に通過した水系液体は、その上下分離層の下側の保水性植物生育層に達し得る植物栽培体が開示されている。
【０００７】
この植物栽培体においては、上下分離層の上側の保水性植物生育層と下側の保水性植物生育層が上下分離層により隔てられ、上側の保水性植物生育層は、保水し切れない水系液体を下側面から下方に漏脱させ、上下分離層は、上側の保水性植物生育層の下側面から下方に漏脱した水系液体を下方に通過させ、上下分離層を下方に通過した水系液体は、その上下分離層の下側の保水性植物生育層に達し得る。
【０００８】
そのため、上下分離層の上側の保水性植物生育層と下側の保水性植物生育層が上下に連続している場合のように、上下連続した保水性植物生育層のうち下方側に水系液体が偏って保持されることが防がれ、上側及び下側の保水性植物生育層がそれぞれの保水力を十分発揮し得る。
【０００９】
しかしながら、この植物栽培体は、複数の保水性植物生育層が、保水性植物生育層同士の間に上下分離層を挟んで上下方向に積層するという構造であるため、必ずしも製造（又は施工）を容易に行い得るものではなく、使用可能な場所も比較的限られる。
【先行技術文献】
【特許文献】
【００１０】
【特許文献１】特開平１０−９８９１３号公報
【特許文献２】特開２００９−１００７１２公報
【発明の概要】
【発明が解決しようとする課題】
【００１１】
本発明は、従来技術に存した上記のような課題に鑑み行われたものであり、可撓性の保水性植物生育体を用いて比較的容易に製造し得、垂直面又は傾斜角度が比較的大きな面の緑化を容易且つ確実に行うことができる植物栽培体及び植物栽培体群を提供することにある。
【課題を解決するための手段】
【００１２】
(1) 上記目的を達成するための本発明の植物栽培体は、保水性を有する可撓性板形状の保水性植物生育体が巻回されてなる柱状又は筒状の植物生育部を備える。
【００１３】
この植物栽培体の植物生育部は、保水性を有する可撓性板形状の保水性植物生育体が巻回されてなる柱状又は筒状をなす。
【００１４】
そのため、植物生育部の外周面部や端面部等の表面部のさまざまな位置に対象植物を生育させることができる。
【００１５】
また、植物生育部が筒状である場合、内側の空孔部に対象植物の根部を配置し、端部の軸線方向外方に茎部、葉部等を位置させて植物を生育させることができる。
【００１６】
上記植物栽培体は、可撓性板形状の保水性植物生育体が、繊維の不織集合体であるものとすることができる。
【００１７】
また上記植物栽培体は、保水性植物生育体が全周にわたり二層以上となるよう巻回されているものとすることができる。
【００１８】
この場合、保水性植物生育体が全周にわたり二層以上となるよう巻回されているので、植物生育部の全周にわたって、例えば鉛直方向又は水平方向において、外周側から何番目の巻回層であるかによって水平方向に対する保水性植物生育体の傾斜角度が変化する。
【００１９】
また上記植物栽培体は、植物生育部における保水性植物生育体の巻回軸線が水平状または傾斜状をなすものとすることができる。
【００２０】
本発明における保水性植物生育体としては、水分を保有した場合に、その下端からある限界高さまで、毛細管現象等により、水系液体を保有し得るものを用いることができる。この本発明における保水性植物生育体は、水系液体を保有した場合に下方側の水系液体保有量が上方側に比し多くなるものであってよい。
【００２１】
(2) 上記植物栽培体は、植物生育部が筒状をなし、その植物生育部の内側の空孔部に対象植物の根部を配置し、前記植物生育部の端部の軸線方向外方に少なくとも茎部、葉部及び花部の何れかを位置させてその対象植物を栽培するためのものとすることができる。
【００２２】
この場合、植物生育部は、保水性を有する可撓性板形状の保水性植物生育体が巻回されてなる筒状であるため、内側の空孔部に対象植物の根部を配置し、植物生育部の端部の軸線方向外方側に少なくとも茎部、葉部及び花部の何れかを位置させることにより、根が外方の保水性植物生育体からなる植物生育部中へ伸びて対象植物を効果的に生育させることができる。
【００２３】
また上記植物栽培体は、上記筒状の植物生育部の１又は２以上が、その少なくとも一方の端面が露出した状態で、収容筒体、保持枠体又は収容箱体に保持されているものとすることができる。
【００２４】
また上記植物栽培体は、上記筒状の植物生育部の２以上が、それらの巻回軸線が互いに平行状をなすように上下に配置され、上下の植物生育部が、水分透過性の離隔部により上下に分離されているものとすることができる。
【００２５】
また上記植物栽培体は、上記筒状の植物生育部の内側の空孔部の一端側に同軸状に嵌合した芯体を有し、
前記空孔部の他端側に前記対象植物の根部を配置し、前記空孔部の他端側における軸線方向外方に少なくとも茎部、葉部及び花部の何れかを位置させるためのものとすることができる。
【００２６】
(3) 上記植物栽培体は、
保水性植物生育体が、水分を保有した場合に下方側の水分保有量が上方側に比し多くなるものであり、
上記植物生育部の端面部に対象植物を栽培するためのものとすることができる。
【００２７】
植物生育部を構成する保水性植物生育体は、可撓性板形状であって、水分を保有した場合に下方側の水分保有量が上方側に比し多くなる。水分保有量が位置により大きく異なるものは、一般には植物を栽培する上で好ましくない。
【００２８】
しかしながら、この植物生育部は、可撓性板形状の保水性植物生育体が巻回されてなるものであるため、植物生育部における保水性植物生育体の巻回軸線が水平状をなす場合や植物生育部における保水性植物生育体の巻回軸線が傾斜状をなす場合は、巻回された可撓性板形状保水性植物生育体の水平方向に対する傾斜角度が、巻回軸線を中心とした巻回角度位置によって変化する。またそれにより、植物生育部の例えば鉛直方向又は水平方向においては、外周側から何番目の巻回層であるかによって水平方向に対する保水性植物生育体の傾斜角度が変化する。
【００２９】
そのため、植物生育部の端面部の任意の位置における、表面部及びその内方部分の水分保有量は、前記位置が外周面部における何れであっても、大きな偏りがないものとすることができる。
【００３０】
よって、植物生育部の端面部全体として可及的に万遍なく保水し得るので、植物生育部の端面部における上下方向及び水平方向の様々な位置を有効に活用して好適な植物栽培を行い得る。
【００３１】
上記植物栽培体は、上記可撓性板形状の保水性植物生育体が巻回されてなる柱状又は筒状の１又は２以上の植物生育部が、その少なくとも一方の端面が露出した状態で、収容筒体、保持枠体又は収容箱体に保持されているものとすることができる。
【００３２】
また上記植物栽培体は、上記筒状の植物生育部の２以上が、それらの巻回軸線が互いに平行状をなすように上下に配置され、上下の植物生育部が、水分透過性の離隔部により上下に分離されているものとすることができる。
【００３３】
また上記植物栽培体は、上記植物生育部が、可撓性板形状の保水性植物生育体が巻回されてなる筒状をなし、その筒状の植物生育部の内側の空孔部に芯体が同軸状に嵌合しているものとすることができる。
【００３４】
また上記植物栽培体は、上記芯体が、芯体の内部に水系液体を導入する導入部と、導入部より芯体の内部に導入された水系液体を芯体の外周側の植物生育部に供給するための供給孔を有するものとすることができる。
【００３５】
この場合、導入部から芯体の内部に水系液体を導入し、芯体の内部に導入された水系液体を、供給孔を通じて芯体の外周側の植物生育部に供給することにより、水系液体を植物生育部に対し供給して育成植物に対する灌水を行うことができる。
【００３６】
また上記植物栽培体は、上記芯体の基端部が基体に支持され、その芯体の先端は自由端であり、
植物生育部のうち芯体の自由端側の端面部に対象植物を栽培するためのものであるものとすることができる。
【００３７】
また上記植物栽培体は、上記芯体を複数有し、それらの各芯体の外周側にそれぞれ可撓性板形状の保水性植物生育体が巻回されてなる筒状をなす植物生育部が形成されたものとすることができる。
【００３８】
(4) 上記植物栽培体は、
保水性植物生育体が、水分を保有した場合に下方側の水分保有量が上方側に比し多くなるものであり、
上記植物生育部の外周面部に対象植物を栽培するためのものとすることができる。
【００３９】
植物生育部を構成する保水性植物生育体は、可撓性板形状であって、水分を保有した場合に下方側の水分保有量が上方側に比し多くなる。水分保有量が位置により大きく異なるものは、一般には植物を栽培する上で好ましくない。
【００４０】
しかしながら、この植物生育部は、可撓性板形状の保水性植物生育体が巻回されてなるものであるため、植物生育部における保水性植物生育体の巻回軸線が水平状をなす場合や植物生育部における保水性植物生育体の巻回軸線が傾斜状をなす場合は、巻回された可撓性板形状保水性植物生育体の水平方向に対する傾斜角度が、巻回軸線を中心とした巻回角度位置によって変化する。またそれにより、植物生育部の例えば鉛直方向又は水平方向においては、外周側から何番目の巻回層であるかによって水平方向に対する保水性植物生育体の傾斜角度が変化する。
【００４１】
そのため、植物生育部の外周面部の任意の位置における、表面部及びその内方部分の水分保有量は、前記位置が外周面部における何れであっても、大きな偏りがないものとすることができる。
【００４２】
よって、植物生育部全体として可及的に万遍なく保水し得るので、植物生育部の外周面部における上下方向及び水平方向の様々な位置を有効に活用して好適な植物栽培を行い得る。
【００４３】
上記植物栽培体は、上記植物生育部が、可撓性板形状の保水性植物生育体が巻回されてなる筒状をなし、その筒状の植物生育部の内側の空孔部に芯体が同軸状に嵌合しているものとすることができる。
【００４４】
この場合、芯体及び芯体の支持手段を適宜選択することにより、植物栽培体を、建築物の外壁部緑化、ベンチの座部、ベンチの背もたれ等の様々な用途や目的に用いることができる。
【００４５】
上記植物栽培体は、上記芯体が、芯体の内部に水系液体を導入する導入部と、導入部より芯体の内部に導入された水系液体を芯体の外周側の植物生育部に供給するための供給孔を有するものとすることができる。
【００４６】
この場合、導入部から芯体の内部に水系液体を導入し、芯体の内部に導入された水系液体を、供給孔を通じて芯体の外周側の植物生育部に供給することにより、水系液体を植物生育部に対し供給して育成植物に対する灌水を行うことができる。
【００４７】
上記植物栽培体は、少なくとも５０度の所定中心角部分が二層以上となるよう巻回されているものとすることができる。
【００４８】
この場合、少なくとも５０度の所定中心角部分については、保水性植物生育体が二層以上であるため、鉛直方向又は水平方向において、外周側から何番目の巻回層であるかによって水平方向に対する保水性植物生育体の傾斜角度が変化する。
【００４９】
上記植物栽培体は、植物生育部の外周面部の全部又は一部がスノコ状の植物保護体により覆われているものとすることができる。
【００５０】
この場合、植物生育部の外周面部の全部又は一部がスノコ状の植物保護体により覆われているので、植物生育部の外周面部に芝生等の植物を栽培する場合に、栽培植物に対する日光等の照射を可及的に妨げずに栽培植物を保護育成することができる。植物栽培体を、ベンチの座部や背もたれ等として用いる場合、その栽培植物が傷むことや、座ったり背をもたれさせた者の衣類等が植物生育部に保水された水により濡れることなどを可及的に防ぐことができる。
【００５１】
上記植物栽培体は、植物生育部の一方又は両方の端面が漏水防止材で覆われているものとすることができる。
【００５２】
この場合、植物生育部の端面からは、比較的漏水し易いが、この場合、植物生育部の端面からの漏水が、漏水防止材により防がれることにより、保水性を可及的に高めることができる。
【００５３】
(5) 本発明の植物栽培体群は、上記何れかの植物栽培体を複数個、それらの巻回軸線が互いに平行状をなすように上下に備えてなる。
この場合、巻回軸線が互いに平行状をなすように上下に備える複数の植物生育部を利用して、立体的な植物栽培が可能である。
【発明の効果】
【００５４】
本発明の植物栽培体及び本発明の植物栽培体群における植物栽培体は、その植物生育部が、保水性を有する可撓性板形状の保水性植物生育体が巻回されてなる柱状又は筒状をなす。
【００５５】
そのため、植物生育部の外周面部や端面部等の表面部のさまざまな位置に対象植物を生育させることができる。
【００５６】
また、植物生育部が筒状である場合、内側の空孔部に対象植物の根部を配置し、端部の軸線方向外方に茎部、葉部等を位置させて植物を生育させることができる。
【図面の簡単な説明】
【００５７】
【図１】植物栽培体群の正面図である。
【図２】図１の植物栽培体群の一部破砕側面図である。
【図３】別の植物栽培体群の正面図である。
【図４】図３の植物栽培体群の側面図である。
【図５】別の植物栽培体の正面図である。
【図６】図５の植物栽培体の縦断面図である。
【図７】図５の収容棚の斜視図である。
【図８】別の植物栽培体の正面図である。
【図９】図８の植物栽培体の側面図である。
【図１０】別の植物栽培体群の正面図である。
【図１１】図１０の植物栽培体群の一部破砕側面図である。
【図１２】別の植物栽培体群の正面図である。
【図１３】図１２の植物栽培体群の側面図である。
【図１４】別の植物栽培体群の正面図である。
【図１５】別の植物栽培体群の正面図である。
【図１６】別の植物栽培体の正面図である。
【図１７】図１６の植物栽培体の側面図である。
【図１８】別の植物栽培体群の正面図である。
【図１９】植物栽培体を一部に設けたベンチの正面図である。
【図２０】保水性植物生育体が全周にわたり二層以上巻回されていない植物生育部を備えた植物栽培体の側面図である。
【図２１】紐で吊り下げられた植物栽培体群の正面図である。
【図２２】図２１の植物栽培体群の要部側面図である。
【図２３】植物生育部の外周面部が植物保護体により覆われた植物栽培体の要部半断面図である。
【発明を実施するための形態】
【００５８】
本発明の実施の形態を、図面を参照しつつ説明する。
【００５９】
[1] 筒状植物生育部の空孔部に根部を配置して栽培
【００６０】
(1) 図１及び図２は、本発明の実施の形態の例としての植物栽培体Ｅを複数備えた植物栽培体群Ｑに関するものであって、そのうち図１は植物栽培体群Ｑの正面図、図２は植物栽培体群Ｑの一部破砕側面図である。
【００６１】
植物栽培体Ｅは、保水性植物生育体Ｙが筒状（略円筒状）に巻回されてなる植物生育部Ｊからなる。複数個の植物栽培体Ｅが、水平板状の保水性植物生育体Ｙ上に載置されて植物栽培体群Ｑを構成している。
【００６２】
保水性植物生育体Ｙは、繊維の不織集合体であって、長方形マット状（従って可撓性の長方形板形状）をなす。この保水性植物生育体Ｙは、保水性を有する。
【００６３】
筒状の植物生育部Ｊの内側の空孔部Ｊ１には、泥炭やピートモスを材料としたポットＡに根部Ｉ１が植えられているものをポットＡのまま嵌合させることにより、空孔部Ｊ１に対象植物Ｉの根部Ｉ１を配置し、前記植物生育部の一方の端部の軸線方向外方に葉部Ｉ２（少なくとも茎部、葉部Ｉ２及び花部の何れかであってよい。）を位置させている。
【００６４】
泥炭やピートモスを材料としたポットＡに植えられた根は、そのままポットＡの材料を突き抜けて外方の保水性植物生育体Ｙからなる植物生育部Ｊ中へ伸びることができるので、対象植物Ｉを効果的に生育させることができる。
【００６５】
このようなポットＡとしては、根が外方へ伸びることができるその他の材料からなるポットＡでもよい。また、空孔部Ｊ１に対象植物Ｉの根部Ｉ１を配置する場合、例えば、自然土壌や人口土壌等と共に根部Ｉ１を空孔部Ｊ１内に嵌合させることもできる。
【００６６】
なお、植物生育部の内側の空孔部Ｊ１における軸線方向両側にそれぞれ別々の根部Ｉ１を配置し、空孔部Ｊ１の両方の端部の軸線方向外方にそれぞれ葉部Ｉ２（少なくとも茎部、葉部Ｉ２及び花部の何れかであってよい。）を位置させることもできる。
【００６７】
植物生育部Ｊは、１枚の可撓性板形状の保水性植物生育体Ｙが、約２回（従って２層となるように）巻回された略円筒状をなす。
【００６８】
この植物生育部Ｊは、可撓性板形状の保水性植物生育体Ｙがほぼ全周（３６０度中心角）にわたり２層となるよう巻回されてなるものであり、植物生育部Ｊにおける保水性植物生育体Ｙの巻回軸線は水平状をなす。
【００６９】
(2) 図３は、本発明の実施の形態の別の例としての植物栽培体Ｅを複数備えた植物栽培体群Ｑについての正面図、図４はその側面図である。
【００７０】
棚Ｎは、断面正方形状（断面形状は正方形状に限らず、例えば円形状とすることもできる。）の収容筒体Ｎ１が４つ上下に連設されてなるものである。棚Ｎの各収容筒体Ｎ１に、前記(1)の例の植物栽培体Ｅが、植物生育部の巻回軸線が水平状をなす状態で一つずつ収容保持されることにより、植物栽培体Ｅが４個上下並列状に配置された植物栽培体群Ｑが構成されている。このように立体的に配された各植物栽培体Ｅにより、立体的な植物栽培が可能である。
【００７１】
なお、このような棚における収容部の数や配置は任意に行い得る。また、複数個の棚を様々に配置することも可能である。
【００７２】
更に、例えば網目状の保持枠体の各網目に植物栽培体を保持させる（例えば植物生育部の巻回軸線方向の中央部を保持させる）ことにより植物栽培体群を構成することも可能である。
【００７３】
(3) 図５は、本発明の実施の形態の別の例としての植物栽培体Ｅを複数備えた植物栽培体群Ｑについての正面図、図６はその縦断面図、図７は収容棚の斜視図である。
【００７４】
収容棚２０は、一定の前後方向幅を有する正面方形状の外枠部２２内に、上下三段（これに限るものではない）の棚板部２４ａ（水分透過性の離隔部の一例）と背面部を構成する背板部２４ｂを備えた棚部２４を有してなる。
【００７５】
外枠部２２の上端におけるやや後寄りの位置には、全横幅にわたる連結用上方突起板部２２ａを有し、その連結用上方突起板部２２ａの左右端部には、それぞれ前後方向の貫通孔を有する。外枠部２２の下端における外枠部２２の後側位置に、全横幅にわたる連結用下方箱形状突起部２２ｂを有し、その連結用下方箱形状突起部２２ｂの左右端部には、それぞれ前後方向の貫通孔を有する。上側の収容棚２０の連結用下方箱形状突起部２２ｂの前側に下側の収容棚２０の連結用上方突起板部２２ａを重ねて両収納棚の２０対応する貫通孔をボルト等で締結することにより、収容棚２０を上下に連結することができる。
【００７６】
各棚板部２４ａの前後方向中央部には、横方向の一端寄りの位置と他端寄りの位置の間にわたる平面視長方形状の上下貫通部２４ａ１を有する。また、背板部２４ｂの上下方向中央部には、横方向の一端寄りの位置と他端寄りの位置の間にわたる正面視長方形状の前後貫通部２４ｂ１を有する。
【００７７】
各棚板部２４ａ上に前記(1)の例の植物栽培体Ｅが、植物生育部Ｊにおける保水性植物生育体Ｙの巻回軸線が水平状をなし、対象植物Ｉの葉部Ｉ２が軸線方向前方を向く状態で４つずつ収容保持されることにより、植物栽培体Ｅが４個ずつ上下３段に並列状に配置された植物栽培体群Ｑが構成されている。このように立体的に配された各植物栽培体Ｅにより、立体的な植物栽培が可能である。なお、図５及び図６では、最上段の棚板部２４ａ上にのみ植物栽培体Ｅが描かれている。なお、外枠部２２の前面に、各植物栽培体Ｅにおける筒状の植物生育部Ｊの内側の空孔部Ｊ１に対応する円孔（又はその他の形状の孔）を有する押さえ板を固定することにより、棚部２４からの各植物栽培体Ｅの脱落を防止しつつ対象植物Ｉを育成することができる。
【００７８】
最上段の植物栽培体Ｅに対し、例えば前後貫通部２４ｂ１を通じて灌水管により灌水した場合、植物栽培体Ｅにおいて保水し切れない水分は上下貫通部２４ａ１を通じて流下して下方の各棚板部２４ａ上に支持された植物栽培体Ｅに給水され、更にその植物栽培体Ｅにおいて保水し切れない水分は、上下貫通部２４ａ１を介して更に下方へ流下する。前記のように収容棚２０を上下に連結した状態において、上側の最下段の棚板部２４ａの下方に流下した水系液体が下側の収容棚２０の最上段の棚板部２４ａ上に支持された植物栽培体Ｅに流下する流路（例えば、上側の最下段の棚板部２４ａの下方に流下した水系液体が後方へ流れた後、前方へ流れて下側の収容棚２０の最上段の棚板部２４ａ上に支持された植物栽培体Ｅに流下するための通路若しくは管路、或いは、上側の最下段の棚板部２４ａを下方へ貫通する上下貫通部と、下側の収容棚２０の天板を貫通する上下貫通部を、両者が連通するように設けることにより形成した流路）を設けことにより、更に下側の収容棚２０の各棚板部２４ａ上に支持された植物栽培体Ｅに給水することが可能である。
【００７９】
この例のように、植物生育部が筒状をなし、その植物生育部の内側の空孔部に対象植物の根部を配置し、前記植物生育部の端部の軸線方向外方に少なくとも茎部、葉部及び花部の何れかを位置させてその対象植物を栽培するための植物栽培体が複数個上下方向に（例えば互いに平行に又はねじれの位置に）配列される場合は、上下の植物栽培体同士が互いに圧接すると上側の植物栽培体の保有水分が下側の植物栽培体に流下移動して上側の植物栽培体の水分保有量が低減し易くなるので、上下の植物栽培体同士は離隔すること又は少なくとも接触の度合いを小さくすることが望ましい。
【００８０】
各前後貫通部２４ｂ１は、各棚板部２４ａ上に支持された植物栽培体Ｅの根部の通気性を良好なものとする。
【００８１】
なお、離隔部（例えば上記貫通部を有する棚板部、すのこ状又は格子状部等）を水分透過性の支持体により構成することにより、或いは非水分透過性の支持体により構成すると共に下側の植物栽培体への水系液体の自然流下路を設けることにより、上下の植物栽培体を実質上分離しつつ上側の植物栽培体の保有水分が下側の植物栽培体に流下移動するようにして、上側の植物栽培体の水分保有量が低減し易くなることを防ぎつつ過剰な水分を下側の植物栽培体への給水に利用することができる。更に、離隔部として水分透過性の支持体上に保水性植物生育体が積層したものを用いることにより、上下の植物栽培体を実質上分離するのみならず、上側の植物栽培体の保水力を高めることができる。
【００８２】
[2] 植物生育部の端面部において栽培
【００８３】
(1) 図８及び図９は、本発明の実施の形態の別の例としての植物栽培体Ｐに関するものであって、そのうち図８は植物栽培体の正面図、図９は植物栽培体の側面図である。
【００８４】
植物栽培体Ｐは、保水性植物生育体Ｗからなる柱状（略円柱状）の植物生育部Ｇを備えてなり、その植物生育部Ｇの両端面部Ｈ（略円形状端面部）に対象植物を栽培することができる。
【００８５】
保水性植物生育体Ｗは、繊維の不織集合体であって、長方形マット状（従って可撓性の長方形板形状）をなす。この保水性植物生育体Ｗは、保水性を有し、水分を保有した場合に下方側の水分保有量が上方側に比し多くなる。
【００８６】
植物生育部Ｇは、１枚の可撓性板形状の保水性植物生育体Ｗが、ほぼ全周（３６０度中心角）にわたり５回程度（従ってほぼ５層となるように）巻回された略円柱状をなす。
【００８７】
植物生育部Ｇを構成する保水性植物生育体Ｗは、可撓性板形状であって、水分を保有した場合に下方側の水分保有量が上方側に比し多くなる。
【００８８】
しかしながら、この植物生育部Ｇは、可撓性板形状の保水性植物生育体Ｗがほぼ全周（３６０度中心角）にわたりほぼ５層となるよう巻回されてなるものであり、植物生育部Ｇにおける保水性植物生育体Ｗの巻回軸線は水平状をなす。そのため、巻回された可撓性板形状保水性植物生育体Ｗの水平方向に対する傾斜角度（水平面に平行な状態からの傾斜）は、巻回軸線を中心とした巻回角度位置によって、０度から９０度、９０度から０度、０度から９０度、９０度から０度と、繰り返し変化する。図８の正面図に示されるように、可撓性板形状保水性植物生育体Ｗの水平方向に対する傾斜角度は、例えば、中心（巻回軸線）の直上（中心角０度）及び直下（中心角１８０度）では０度、中心角４５度の位置では４５度、中心角９０度の位置では９０度である。
【００８９】
またそれにより、植物生育部Ｇの例えば鉛直方向又は水平方向においては、外周側から何番目の巻回層であるかによって水平方向に対する保水性植物生育体Ｗの傾斜角度が変化する。すなわち、図８における中心（巻回軸線）の左側の第３層の位置における、鉛直方向線上の各層の保水性植物生育体Ｗの傾斜角度は、上端の最外層ではほぼ３０度であるが、下方に向かうに従って（すなわち内側の層となるに従って）傾斜角度が大きくなって最内層では９０度となる。下端から上方に向かう場合も同様である。また、図８における中心（巻回軸線）の上側の第３層位置における、水平方向線上の各層の保水性植物生育体Ｗの傾斜角度は、左端の最外層ではほぼ６０度であるが、右方に向かうに従って（すなわち内側の層となるに従って）傾斜角度が緩くなって左右中央では０度となる。右端から左方に向かう場合も同様である。
【００９０】
そのため、植物生育部Ｇの端面部Ｈの任意の位置における、表面部及びその内方部分の水分保有量は、前記位置が端面部Ｈにおける何れであっても、大きな偏りがないものとすることができる。
【００９１】
よって、植物生育部Ｇ全体として可及的に万遍なく保水し得るので、植物生育部Ｇの端面部Ｈにおける上下方向及び水平方向の様々な位置を有効に活用して好適な植物栽培を行い得る。
【００９２】
(2) 図１０及び図１１は、本発明の実施の形態の別の例としての植物栽培体Ｖを複数備えた植物栽培体群Ｑに関するものであって、そのうち図１０は植物栽培体群Ｑの正面図、図１１は植物栽培体群Ｑの一部破砕側面図である。
【００９３】
植物栽培体Ｖは、芯体Ｃと、保水性植物生育体Ｗからなる筒状（略円筒状）の植物生育部Ｊを備えてなり、その植物生育部Ｊの端面部Ｋ（略円環状端面部）に対象植物を栽培することができる。
【００９４】
芯体Ｃは、合成樹脂製の直円管（軸線が直線である円筒形状の管）である。その芯体Ｃの外周側に植物生育部Ｊが形成されている。直立支柱管Ｄ（基体）の上下方向の複数個所において、それぞれ一対の芯体Ｃの基端部が互いに逆向きに水平状に連結されている。各芯体Ｃの内部と直立支柱管Ｄの内部は連通しており、各芯体Ｃの先端部は閉塞されている。
【００９５】
植物生育部Ｊは、１枚の可撓性板形状の保水性植物生育体Ｗが、芯体Ｃの外周側にほぼ全周（３６０度中心角）にわたり３回と４分の３程度（従って３層又は４層となるように）巻回された略円筒状をなす。この例では芯体Ｃの先端部は植物生育部Ｊの端面部Ｋにほぼ位置するが、これに限るものではない。例えば芯体Ｃの先端部が植物生育部Ｊの端面部Ｋより突出しているものであってもよい。
【００９６】
この植物生育部Ｊは、可撓性板形状の保水性植物生育体Ｗが芯体Ｃの外周側にほぼ全周（３６０度中心角）にわたり３又は４層となるよう巻回されてなるものであり、植物生育部Ｊにおける保水性植物生育体Ｗの巻回軸線は水平状をなす。そのため、巻回された可撓性板形状保水性植物生育体Ｗの水平方向に対する傾斜角度は、巻回軸線を中心とした巻回角度位置によって繰り返し変化する。
【００９７】
またそれにより、植物生育部Ｊの例えば鉛直方向又は水平方向においては、外周側から何番目の巻回層であるかによって水平方向に対する保水性植物生育体Ｗの傾斜角度が変化する。
【００９８】
そのため、植物生育部Ｊの端面部Ｋの任意の位置における、表面部及びその内方部分の水分保有量は、前記位置が端面部Ｋにおける何れであっても、大きな偏りがないものとすることができる。従って、植物生育部Ｊ全体として可及的に万遍なく保水し得るので、植物生育部Ｊの端面部Ｋにおける上下方向及び水平方向の様々な位置を有効に活用して好適な植物栽培を行い得る。
【００９９】
植物栽培体群Ｑにおける各植物栽培体Ｖは、上下方向に立体配置され、それらの全ての植物栽培体Ｖにおける植物生育部Ｊの端面部Ｋに対象植物を栽培することができる。
【０１００】
(3) 図１２は植物栽培体群Ｑについての正面図、図１３はその側面図である。
【０１０１】
棚Ｎは、断面正方形状の収容筒体Ｎ１が４つ上下に連設されてなるものである。棚Ｎの各収容筒体Ｎ１に、前記[2](1)の例の植物栽培体Ｐが、植物生育部の巻回軸線が水平状をなす状態で一つずつ収容保持されることにより、植物栽培体Ｐが４個上下並列状に配置された植物栽培体群Ｑが構成されている。このように立体的に配された各植物栽培体Ｐの端面部Ｈを利用することにより、立体的な植物栽培が可能である。なお、このような棚における収容部の数や配置は任意に行い得る。また、複数個の棚を様々に配置することも可能である。また、例えば芯体を備えない筒状の保水性植物生育体からなる植物栽培体を各収容部に収容することも可能である。
【０１０２】
更に、例えば網目状の保持枠体の各網目に植物栽培体を保持させる（例えば植物生育部の巻回軸線方向の中央部を保持させる）ことにより植物栽培体群を構成することも可能である。
【０１０３】
また、図１４に示されるように収容箱体Ｚ内に前記[2](1)の例の植物栽培体Ｐを多数収容して収容箱体Ｚ内に保持されるようにして植物生育部の巻回軸線が平行状をなす植物栽培体群を構成することもできる。
【０１０４】
なお、複数の植物栽培体が上下方向に（例えば互いに平行に又はねじれの位置に）配列される場合は、上下の植物栽培体同士が互いに圧接すると上側の植物栽培体の保有水分が下側の植物栽培体に流下移動して上側の植物栽培体の水分保有量が低減し易くなるので、上下の植物栽培体同士は離隔すること又は少なくとも接触の度合いを小さくすることが望ましい。
【０１０５】
例えば、図１５に示されるように、収容箱体Ｚ内に前記[2](1)の例の植物栽培体Ｐを多数収容し、上下の植物栽培体Ｐ間に、水分透過性の支持体Ｓ（例えばすのこ状の支持体）上に保水性植物生育体Ｘが平板状に積層した離隔部Ｒを挟んだ状態で収容箱体Ｚ内に保持されるようにして植物生育部の巻回軸線が平行状をなす植物栽培体群を構成することができる。
【０１０６】
離隔部Ｒを単に水分透過性の支持体により構成して、或いは非水分透過性の支持体と下側の植物栽培体への水系液体の自然流下路を設けることにより、上下の植物栽培体Ｐを実質上分離しつつ上側の植物栽培体の保有水分が下側の植物栽培体に流下移動するようにして、上側の植物栽培体Ｐの水分保有量が低減し易くなることを防ぎつつ過剰な水分を下側の植物栽培体への給水に利用することができる。更に、離隔部Ｒとして水分透過性の支持体Ｓ上に保水性植物生育体Ｘが積層したものを用いることにより、上下の植物栽培体Ｐを実質上分離するのみならず、上側の植物栽培体Ｐの保水力を高めることができる。この点は、上下方向に配列された複数の植物栽培体が収容箱体内に収容されている場合に限らない。なお、最下部の植物栽培体Ｐの下側にも支持体Ｓ上に保水性植物生育体Ｘが平板状に積層したものを備えることにより、その植物栽培体Ｐの保水力を高めることができる。
【０１０７】
このような様々な手段を利用して、複数の植物栽培体を、対象植物を栽培するための複数の端面部が垂直面、傾斜面又は曲面に沿って配されるように配設することにより、種々の立体的な植物栽培が可能である。例えば直立柱（角柱、円柱等）の側面、円錐又は角錐の側面、様々な曲面等に沿って、対象植物を栽培するための複数の端面部が配されるものとすることが可能である。
【０１０８】
(4) 植物生育部の外周面部は、その全部又は一部が、例えば、多数の開口部を満遍なく有するスノコ状体、シート状若しくは曲板状若しくは平板板状の漏水防止材等により覆われているものとすることができる。これにより、植物生育部が水分を保有していても、植物生育部の外周面部上に座ったり背をもたれたりしても衣服等が濡れることを防ぐことができる。
【０１０９】
(5) 植物生育部の一方の端面が漏水防止材で覆われているものとすることもできる。
【０１１０】
[3] 植物生育部の外周面部において栽培
【０１１１】
(1) 図１６及び図１７は、本発明の実施の形態の別の例としての植物栽培体Ｆに関するものであって、そのうち図１６は植物栽培体の正面図、図１７は植物栽培体の側面図である。
【０１１２】
植物栽培体Ｆは、芯体Ｃと、保水性植物生育体Ｗからなる筒状（略円筒状）の植物生育部Ｇを備えてなり、その植物生育部Ｇの外周面部（略円筒形状外周面部）に対象植物を栽培することができる。
【０１１３】
芯体Ｃは、合成樹脂製の直円管（軸線が直線である円筒形状の管）である。その芯体Ｃの外周側に植物生育部Ｇが形成されている。
【０１１４】
植物生育部Ｇは、１枚の可撓性板形状の保水性植物生育体Ｗが、芯体Ｃの外周側にほぼ全周（３６０度中心角）にわたり３回と４分の３程度（従って３層又は４層となるように）巻回された略円筒状をなす。この例では芯体Ｃの両端部は植物生育部Ｇの両端部に突出しているが、これに限るものではない。例えば芯体Ｃの両端部が植物生育部Ｇの両端部から突出しないものであってもよい。
【０１１５】
植物生育部Ｇを構成する保水性植物生育体Ｗは、可撓性板形状であって、水分を保有した場合に下方側の水分保有量が上方側に比し多くなる。
【０１１６】
しかしながら、この植物生育部Ｇは、可撓性板形状の保水性植物生育体Ｗが芯体Ｃの外周側にほぼ全周（３６０度中心角）にわたり３又は４層となるよう巻回されてなるものであり、植物生育部Ｇにおける保水性植物生育体Ｗの巻回軸線は水平状をなす。そのため、巻回された可撓性板形状保水性植物生育体Ｗの水平方向に対する傾斜角度（水平面に平行な状態からの傾斜）は、巻回軸線を中心とした巻回角度位置によって、０度から９０度、９０度から０度、０度から９０度、９０度から０度と、繰り返し変化する。図１７の側面図に示されるように、可撓性板形状保水性植物生育体Ｗの水平方向に対する傾斜角度は、例えば、中心（巻回軸線）の直上（中心角０度）及び直下（中心角１８０度）では０度、中心角４５度の位置では４５度、中心角９０度の位置では９０度である。
【０１１７】
またそれにより、植物生育部Ｇの例えば鉛直方向又は水平方向においては、外周側から何番目の巻回層であるかによって水平方向に対する保水性植物生育体Ｗの傾斜角度が変化する。すなわち、図１７における中心（巻回軸線）の左側の最内層位置における、鉛直方向線上の各層の保水性植物生育体Ｗの傾斜角度は、上端の最外層ではほぼ３０度であるが、下方に向かうに従って（すなわち内側の層となるに従って）傾斜角度が大きくなって最内層では９０度となる。下端から上方に向かう場合も同様である。また、図１７における中心（巻回軸線）の上側の最内層位置における、水平方向線上の各層の保水性植物生育体Ｗの傾斜角度は、左端の最外層ではほぼ６０度であるが、右方に向かうに従って（すなわち内側の層となるに従って）傾斜角度が緩くなって最内層では０度となる。右端から左方に向かう場合も同様である。
【０１１８】
そのため、植物生育部Ｇの外周面部の任意の位置における、表面部及びその内方部分の水分保有量は、前記位置が外周面部における何れであっても、大きな偏りがないものとすることができる。
【０１１９】
よって、植物生育部Ｇ全体として可及的に万遍なく保水し得るので、植物生育部Ｇの外周面部における上下方向及び水平方向の様々な位置を有効に活用して好適な植物栽培を行い得る。
【０１２０】
また、植物生育部Ｇの外周面部の全周にわたり植物を生育することにより、全周にわたる生育植物からの水蒸気の蒸散により周囲の空気を効率的に冷却する効果を得ることが可能である。
【０１２１】
(2) 図１８は、前記[3](1)の例の植物栽培体Ｆが複数上下並列状に配置された植物栽培体群Ｑについての正面図である。
【０１２２】
植物栽培体群Ｑは、１対の支柱１０間にそれぞれ水平状に支持された４つの植物栽培体Ｆを、それらの巻回軸線が水平状をなすように互いに平行状に上下に備える。保水性植物生育体Ｗの巻回軸線は水平状をなし、各植物栽培体Ｆの間には上下方向間隔を有する。
【０１２３】
従って、巻回軸線が水平状をなし、互いに平行状をなす上下複数の植物生育部Ｇを利用して、立体的な植物栽培が可能である。
【０１２４】
各植物栽培体Ｆの間には上下方向間隔を有するので、通気性が確保される。また、植物生育部Ｇの外周面部の全周にわたり植物を生育することにより、全周にわたる生育植物からの水蒸気の蒸散により周囲の空気を効率的に冷却する効果を得ることが可能である。
【０１２５】
支柱１０を３本以上有し、隣接するそれぞれの１対の支柱１０間にそれぞれ複数の植物栽培体Ｆを水平状に支持するものとすることもできる。
【０１２６】
(3) 図１９は、植物栽培体Ｆを一部に設けたベンチＢの正面図である。
【０１２７】
このベンチＢは、水平部Ｃａ１及びその両端の支柱部Ｃａ２からなる芯体Ｃａと、芯体Ｃａの水平部Ｃａ１における間隔を隔てた２箇所に外嵌固定された筒状クッション体Ｕと、その各筒状クッション体Ｕの両側部の３箇所において芯体Ｃａの水平部Ｃａ１に外嵌された保水性植物生育体Ｗからなる筒状の植物生育部Ｇを備えてなる。芯体Ｃａの水平部Ｃａ１に外嵌された植物生育部Ｇが植物栽培体Ｆを構成し、その植物生育部Ｇの外周面部に対象植物を栽培することができる。
【０１２８】
(4) 図２０は、保水性植物生育体Ｗが全周にわたり二層以上巻回されていない植物生育部Ｇを備えた植物栽培体Ｆの側面図である。
【０１２９】
この場合、植物生育部Ｇにおける保水性植物生育体Ｗの巻回軸線が水平状をなし、保水性植物生育体Ｗが二層となっている１８０度の所定中心角部分を下方側に位置させている。所定中心角部分以外の保水性植物生育体Ｗは一層である。
【０１３０】
このように所定中心角部分を下方側に位置させることにより、水分を保有した場合に下方側の水分保有量が上方側に比し多くなる状態にも対応し得るものとしている。
【０１３１】
(5) 図２１は、保水性植物生育体Ｗが円柱状に巻回されてなる３個の植物栽培体Ｆが、巻回軸線が水平状をなすように互いに平行状に紐Ｔで梁Ｍに吊り下げられた植物栽培体群Ｑの正面図である。図２２は、図２１の植物栽培体群Ｑの要部側面図である。なお、柱状又は筒状の植物生育部Ｇの端面（例えば図２２に示される面）において対象植物を育成することは、必ずしも不可能ではない。
【０１３２】
(6) 植物生育部の外周面部は、その全部又は一部が、植物生育部における植物の生育を妨げない網状体又は多数の開口部を満遍なく有するスノコ状の植物保護体（例えば合成樹脂又はその他の材料によるもの）により覆われているものとすることができる。スノコ状の植物保護体の高さ（すなわち植物生育部の外周面部を覆った状態におけるその外周面部からの立ち上がり）は、栽培植物（特に、その根部）を損傷しない程度および/または植物生育部が水分を保有していても人がその植物保護体に背をもたれたり座ったりした場合に濡れない程度であることが望ましい。植物保護体の高さは、栽培植物や植物生育部の物性にもよるが、例えば１ｃｍ乃至５ｃｍとすることができる。
【０１３３】
図２３は、図１６及び図１７に示す植物栽培体Ｆにおける植物生育部Ｇの外周面部の全部が、植物生育部Ｇにおける植物の生育を妨げない多数の開口部を満遍なく有する合成樹脂製のスノコ状の植物保護体Ｅにより覆われた状態を示す要部半断面図である。なお、植物保護体Ｅは模式的に表されている。
【０１３４】
植物生育部Ｇの外周面部に芝生等の植物を栽培する場合に、栽培植物に対する日光等の照射を可及的に妨げずに栽培植物を保護育成することができる。植物栽培体Ｆを、ベンチＢの座部や背もたれ等として用いる場合、栽培植物が傷むことや、座ったり背をもたれさせた者の衣類等が植物生育部Ｇに保水された水により濡れることなどを可及的に防ぐことができる。
【０１３５】
(7) 各植物栽培体における植物生育部の一方又は両方の端面は、漏水防止材で覆われるものとすることができる。漏水防止材の形状は、植物生育部の端面の形状に応じたものとすることができ、例えば、円環板状、円板状等の形状を採用し得る。
【０１３６】
図２３には、植物生育部Ｇの端面が、円環板状の漏水防止材Ｌで覆われた状態が示されている。この場合、植物生育部Ｇの端面からの漏水が、漏水防止材Ｌにより防がれることにより、保水性を可及的に高めることができる。
【０１３７】
[4] 全般
【０１３８】
(1) 本発明における芯体は管状に限るものではない。例えば柱状（中実体）であってもよい。また芯体の断面形状は、管状であっても柱状であっても、円形に限らない。楕円形、三角形、四角形、六角形等の各種多角形であってもよい。芯体は、外周部に、保水性植物生育体を結合させたり結合を補助するための構造や材料（例えば突起状物やフック状物又は接着剤等）を備えるものであってもよい。芯体と植物生育部の横断面の外半径の比（円形以外の場合は、[横断面の外周で囲まれる面積／π]1/2の比）は、例えば１：２０乃至１：１．５程度の範囲とすることができる。芯体の材料としては、合成樹脂に限らず、金属、陶磁（セラミクス）、木等を用いることができる。
【０１３９】
また、芯体は、芯体の内部に水系液体を導入する導入部（例えば一端又は両端が開口した管状の芯体における水系液体が通水される通水用中空部）と、導入部より芯体の内部に導入された水系液体を芯体の外周側の植物生育部に供給するための供給孔（例えば、前記通水用中空部から外周側の植物生育部に水系液体を放出又は滲出させるための多数の放出孔又は多数の滲出孔若しくは多孔質部）を有するものとすることができる。
【０１４０】
図１０及び図１１に示される例においては、例えば、水系液体が支柱１０から芯体Ｃに供給され、芯体Ｃの外周側に水系液体が滲出して保水性植物生育体Ｗに供給されるものとすることができる。また図１８に示される例においては、例えば、水系液体が直立支柱管Ｄから芯体Ｃに供給され、芯体Ｃの外周側に水系液体が滲出して保水性植物生育体Ｗに供給されるものとすることができる。
【０１４１】
(2) 本発明における保水性植物生育体は、この例のような構成に限らないが、保水性を有し、水分を保有した場合に下方側の水分保有量が上方側に比し多くなるものであって、対象とする植物（特に、植物の根）の生育に適するものであることを要する。
【０１４２】
保水性植物生育体としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、その他の各種植物生育材料を用いることができる。保水性植物生育体に生育対象植物の種子や肥料を含ませることもできる。保水性植物生育体の厚さは、例えば０．５乃至２０ｃｍとすることができる。好ましくは１乃至１５ｃｍ、より好ましくは２乃至１０ｃｍであるが、これに限られるものではない。
【０１４３】
保水性植物生育体は、マット状をなすものとすることができる。その他、例えば保水性植物生育体を帯状に形成することもできる。
【０１４４】
保水性植物生育体を略円筒状に保形するには、縫着、綴じ針等による綴合、接着剤による接着等の適宜手段を採用することができる。
【０１４５】
(3) 本発明における植物生育部は、保水性植物生育体が柱状又は筒状（円形に限らず、楕円形、三角形、四角形、六角形等の各種多角形の柱状又は筒状であってもよい。）に巻回されてなるものである。筒状の場合、芯体の外周側に巻回されてなるものとすることができる他、中空状とすることもできる。
【０１４６】
植物生育部は、例えば保水性植物生育体が全周にわたり二層以上（好ましくは三層以上）となるよう巻回されているものとすることができる。
【０１４７】
また、植物栽培体は、植物生育部における保水性植物生育体の巻回軸線が傾斜状（例えば４５度以下、３０度以下、又は２０度以下）をなすようにすることができる。
【０１４８】
保水性植物生育体を帯状とした場合、芯体に対し帯状の保水性植物生育体を螺旋状に巻回して筒状の植物生育部を形成することもできる。
【０１４９】
また、植物生育部の外周面部において栽培する場合に、保水性植物生育体が全周にわたり二層以上巻回されていない植物生育部は、少なくとも５０度の所定中心角部分が二層以上となるよう巻回されているものとすることができる。
【０１５０】
(4) 植物生育部の外周面部に栽培する対象植物として好適なものの例としては、芝類を挙げることができるが、これらに限るものではない。つた類等を栽培することも可能である。
【０１５１】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【０１５２】
Ａ      ポット
Ｂ      ベンチ
Ｃ      芯体
Ｃａ    芯体
Ｃａ１  水平部
Ｃａ２  支柱部
Ｄ      直立支柱管
Ｅ      植物保護体
Ｆ      植物栽培体
Ｇ      植物生育部
Ｈ      端面部
Ｉ      対象植物
Ｉ１    根部
Ｉ２    葉部
Ｊ      植物生育部
Ｊ１    空孔部
Ｋ      端面部
Ｌ      漏水防止材
Ｍ      梁
Ｎ      棚
Ｎ１    収容筒体
Ｐ      植物栽培体
Ｑ      植物栽培体群
Ｒ      離隔部
Ｓ      支持体
Ｔ      紐
Ｕ      筒状クッション体
Ｖ      植物栽培体
Ｗ      保水性植物生育体
Ｘ      保水性植物生育体
Ｙ      保水性植物生育体
Ｚ      収容箱体
１０    支柱
２０      収容棚
２２      外枠部
２２ａ    連結用上方突起板部
２２ｂ    連結用下方箱形状突起部
２４      棚部
２４ａ    棚板部
２４ａ１  上下貫通部
２４ｂ    背板部
２４ｂ１  前後貫通部
【図１】
2011244710.tif 000003
【図２】
2011244710.tif 000004
【図３】
2011244710.tif 000005
【図４】
2011244710.tif 000006
【図５】
2011244710.tif 000007
【図６】
2011244710.tif 000008
【図７】
2011244710.tif 000009
【図８】
2011244710.tif 000010
【図９】
2011244710.tif 000011
【図１０】
2011244710.tif 000012
【図１１】
2011244710.tif 000013
【図１２】
2011244710.tif 000014
【図１３】
2011244710.tif 000015
【図１４】
2011244710.tif 000016
【図１５】
2011244710.tif 000017
【図１６】
2011244710.tif 000018
【図１７】
2011244710.tif 000019
【図１８】
2011244710.tif 000020
【図１９】
2011244710.tif 000021
【図２０】
2011244710.tif 000022
【図２１】
2011244710.tif 000023
【図２２】
2011244710.tif 000024
【図２３】
2011244710.tif 000025